【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
通信装置と通信する情報処理装置のコンピュータに、
前記通信装置と前記情報処理装置との間の第１接続を確立する第１接続ステップと、
前記第１接続によって、前記通信装置内の所定のアクセスポイントと接続するための接続情報を取得する接続情報取得ステップと、
前記取得された前記接続情報に基づいて、前記所定のアクセスポイントを介した前記通信装置と前記情報処理装置との間の第２接続を確立する第２接続ステップと、
ユーザから、データの送信指示を受け付ける受付ステップと、
前記送信指示が受け付けられた場合、前記第２接続によって、前記通信装置に前記データを送信する送信ステップと、
前記取得された前記接続情報が用いられた前記第２接続が、前記第２接続が確立されていない状態で前記送信指示が受け付けられたことに基づいて確立されることを特徴とするプログラム。
【請求項２】
前記データの送信が完了した場合、前記第２接続を解除する解除ステップを更に実行させることを特徴とする請求項１に記載のプログラム。
【請求項３】
前記情報処理装置は、インターネットを利用可能であり、
前記第２接続が確立されている状態において、前記情報処理装置は、前記インターネットを利用できないことを特徴とする請求項１又は２に記載のプログラム。
【請求項４】
前記インターネットと通信可能な移動体通信網と前記情報処理装置との間の第３接続を確立する第３接続ステップを更に実行させ、
前記第２接続が確立されている状態において、前記第３接続は確立されないことを特徴とする請求項３に記載のプログラム。
【請求項５】
前記送信指示が受け付けられたことに応じて、前記第３接続を解除する接続解除ステップをさらに実行させることを特徴とする請求項４に記載のプログラム。
【請求項６】
前記データの送信が完了した場合、前記第３接続が確立されることを特徴とする請求項４又は５に記載のプログラム。
【請求項７】
前記インターネットからデータを取得するための画面を表示部に表示する表示ステップと、を更に実行させ、
前記画面が表示されている状態において、前記第２接続が確立されず、
前記送信指示に基づいて送信されるデータは、前記画面を介して前記インターネットから取得されたデータであることを特徴とする請求項３乃至６のいずれか１項に記載のプログラム。
【請求項８】
前記送信指示に基づいて送信されるデータは、前記通信装置に印刷を実行させるためのデータであることを特徴とする請求項１乃至７のいずれか１項に記載のプログラム。
【請求項９】
前記第１接続は、前記通信装置内のアクセスポイントであり、且つ前記所定のアクセスポイントと異なるアクセスポイントを介した前記通信装置と前記情報処理装置との間の接続であることを特徴とする請求項１乃至８のいずれか１項に記載のプログラム。
【請求項１０】
前記第２接続が確立されている状態では、前記通信装置内のアクセスポイントであり、且つ前記所定のアクセスポイントと異なるアクセスポイントは無効化されることを特徴とする請求項９に記載のプログラム。
【請求項１１】
前記第１接続は、ユーザによる前記第１接続を確立するための接続情報の入力が受け付けられることなく確立されることを特徴とする請求項１乃至１０のいずれか１項に記載のプログラム。
【請求項１２】
前記第１接続によって、前記所定のアクセスポイントを有効にするための有効化情報を前記通信装置に送信する送信ステップを更に実行させることを特徴とする請求項１乃至１１のいずれか１項に記載のプログラム。
【請求項１３】
前記有効化情報に基づいて有効化された前記所定のアクセスポイントを介した前記第２接続によって、前記通信装置から前記通信装置の能力情報を取得する能力情報取得ステップをさらに実行させ、
前記能力情報が取得されたことに応じて、前記有効化情報に基づいて有効化された前記所定のアクセスポイントを介した前記第２接続が解除されることを特徴とする請求項１乃至１２のいずれか１項に記載のプログラム。
【請求項１４】
前記第１接続によって、前記情報処理装置及び前記通信装置の外部に存在する外部アクセスポイントに関するアクセスポイント情報を前記通信装置に送信する情報送信ステップと、
前記外部アクセスポイントと前記情報処理装置との間の第４接続を確立させる第４接続ステップと、をさらに実行させることを特徴とする請求項１乃至１３のいずれか１項に記載のプログラム。
【請求項１５】
前記第４接続が確立していない状態で前記送信指示が受け付けられた場合、前記第２接続によって、前記通信装置に前記データが送信され、
前記第４接続が確立している状態で前記送信指示が受け付けられた場合、前記第４接続によって、前記通信装置に前記データが送信され、
前記第２接続による前記データの送信が完了した場合、前記第２接続は解除され、
前記第４接続による前記データの送信が完了しても、前記第４接続は解除されないことを特徴とする請求項１４に記載のプログラム。
【請求項１６】
前記第４接続が確立している状態において、前記情報処理装置は、前記外部アクセスポイントを介してインターネットを利用可能であることを特徴とする請求項１４又は１５に記載のプログラム。
【請求項１７】
前記第１接続は、Ｗｉ−Ｆｉによる接続であることを特徴とする請求項１乃至１６のいずれか１項に記載のプログラム。
【請求項１８】
前記第１接続は、Ｂｌｕｅｔｏｏｔｈによる接続であることを特徴とする請求項１乃至１６のいずれか１項に記載のプログラム。
【請求項１９】
前記第２接続は、Ｗｉ−Ｆｉによる接続であることを特徴とする請求項１乃至１８のいずれか１項に記載のプログラム。
【請求項２０】
通信装置と通信する情報処理装置の制御方法であって、
前記通信装置と前記情報処理装置との間の第１接続を確立する第１接続ステップと、
前記第１接続によって、前記通信装置内の所定のアクセスポイントと接続するための接続情報を取得する接続情報取得ステップと、
前記取得された前記接続情報に基づいて、前記所定のアクセスポイントを介した前記通信装置と前記情報処理装置との間の第２接続を確立する第２接続ステップと、
ユーザから、データの送信指示を受け付ける受付ステップと、
前記送信指示が受け付けられた場合、前記第２接続によって、前記通信装置に前記データを送信する送信ステップと、を有し、
前記取得された前記接続情報が用いられた前記第２接続が、前記第２接続が確立されていない状態で前記送信指示が受け付けられたことに基づいて確立されることを特徴とする制御方法。
【請求項２１】
通信装置と通信する情報処理装置であって、
前記通信装置と前記情報処理装置との間の第１接続を確立する第１接続手段と、
前記第１接続によって、前記通信装置内の所定のアクセスポイントと接続するための接続情報を取得する接続情報取得手段と、
前記取得された前記接続情報に基づいて、前記所定のアクセスポイントを介した前記通信装置と前記情報処理装置との間の第２接続を確立する第２接続手段と、
ユーザから、データの送信指示を受け付ける受付手段と、
前記送信指示が受け付けられた場合、前記第２接続によって、前記通信装置に前記データを送信する送信手段と、を有し、
前記取得された前記接続情報が用いられた前記第２接続が、前記第２接続が確立されていない状態で前記送信指示が受け付けられたことに基づいて確立されることを特徴とする情報処理装置。
【手続補正２】
【補正対象書類名】明細書
【補正対象項目名】０００８
【補正方法】変更
【補正の内容】
【０００８】
そこで、上記目的を達成するために、本発明のプログラムは、通信装置と通信する情報処理装置のコンピュータに、
前記通信装置と前記情報処理装置との間の第１接続を確立する第１接続ステップと、
前記第１接続によって、前記通信装置内の所定のアクセスポイントと接続するための接続情報を取得する接続情報取得ステップと、
前記取得された前記接続情報に基づいて、前記所定のアクセスポイントを介した前記通信装置と前記情報処理装置との間の第２接続を確立する第２接続ステップと、
ユーザから、データの送信指示を受け付ける受付ステップと、
前記送信指示が受け付けられた場合、前記第２接続によって、前記通信装置に前記データを送信する送信ステップと、
前記取得された前記接続情報が用いられた前記第２接続が、前記第２接続が確立されていない状態で前記送信指示が受け付けられたことに基づいて確立されることを特徴とする。
【手続補正３】
【補正対象書類名】明細書
【補正対象項目名】０００９
【補正方法】変更
【補正の内容】
【０００９】
また、本発明の情報処理装置は、
通信装置と通信する情報処理装置であって、
前記通信装置と前記情報処理装置との間の第１接続を確立する第１接続手段と、
前記第１接続によって、前記通信装置内の所定のアクセスポイントと接続するための接続情報を取得する接続情報取得手段と、
前記取得された前記接続情報に基づいて、前記所定のアクセスポイントを介した前記通信装置と前記情報処理装置との間の第２接続を確立する第２接続手段と、
ユーザから、データの送信指示を受け付ける受付手段と、
前記送信指示が受け付けられた場合、前記第２接続によって、前記通信装置に前記データを送信する送信手段と、を有し、
前記取得された前記接続情報が用いられた前記第２接続が、前記第２接続が確立されていない状態で前記送信指示が受け付けられたことに基づいて確立されることを特徴とする。